(57)【要約】【課題】柱部の周方向長さがそれぞれ異なる場合であっても、周方向の突出量がそれぞれ等しい爪部を容易に形成することができる保持器の製造方法を提供することである。【解決手段】保持器部材を準備して（Ｓ１１）、複数のポケットを形成するポケット形成工程（Ｓ１２）と、爪部を形成するポケットの周方向壁面を構成する柱部の周方向の動きを規制する柱部移動規制工程（Ｓ１４）と、冶具準備工程（Ｓ１３）により準備された冶具であって、ポケットの周方向両側の壁面に沿って案内されるポケット壁面ガイド部と、ポケット壁面ガイド部から後退した位置に設けられ、ポケットの周方向幅より大きい大幅部とを備える爪部形成冶具を用いて、ポケット壁面ガイド部をポケット内に配置させる配置工程（Ｓ１５）と、爪部形成冶具を径方向に押し進めて、大幅部によりポケットの周方向壁面の一部を塑性変形させて爪部を形成する爪部形成工程（Ｓ１６）とを備える。【選択図】図５
2011106588.tif 000002
【特許請求の範囲】
【請求項１】
ころを収容するポケットを形成するように、周方向に間隔を空けて軸方向に延びる複数の柱部が設けられており、前記ポケットの周方向壁面には、前記ポケット側に突出し、前記ポケットに収容されたころの脱落を防止する爪部が設けられている保持器の製造方法であって、
円筒形状の保持器部材の所定の箇所を開口するようにして、複数の前記ポケットを形成するポケット形成工程と、
爪部を形成する前記ポケットの周方向壁面を構成する前記柱部の周方向の動きを規制する柱部移動規制工程と、
棒状であって、その先端に設けられ、前記ポケットの周方向両側の壁面に沿って案内されるポケット壁面ガイド部と、前記ポケット壁面ガイド部から後退した位置に設けられ、前記ポケットの周方向幅より大きい大幅部とを備える爪部形成冶具を用いて、前記ポケット壁面ガイド部を前記ポケット内に配置させる配置工程と、
前記爪部形成冶具を径方向に押し進めて、前記大幅部により前記ポケットの周方向壁面の一部を塑性変形させて爪部を形成する爪部形成工程とを備える、保持器の製造方法。
【請求項２】
前記柱部移動規制工程は、爪部を形成する前記ポケットの周方向両側の壁面を構成する２つの前記柱部の周方向の動きを規制し、
前記配置工程は、周方向の中心から周方向一方端までの長さと、周方向の中心から周方向他方端までの長さとが等しい大幅部を備える前記爪部形成冶具を用いて、前記ポケット壁面ガイド部を前記ポケット内に配置させる工程を含む、請求項１に記載の保持器の製造方法。
【請求項３】
前記爪部は、外径側へのころの脱落を防止する第一の爪部と、内径側へのころの脱落を防止する第二の爪部とを含み、
前記爪部形成工程は、前記爪部形成冶具の一度の径方向の押し進めにより、前記ポケットの周方向壁面の内径側および外径側の領域を塑性変形させて、前記第一および第二の爪部を形成する工程を含む、請求項１または２に記載の保持器の製造方法。
【請求項４】
前記柱部移動規制工程は、ブロック状のベース部と、前記ベース部から径方向に突出し、爪部を形成する前記ポケットの両隣のポケット内に配置可能な第一および第二の突出部を備え、前記ベース部を突出方向に貫通する貫通孔が設けられている柱部移動規制冶具を用いることにより、前記第一および第二の突出部を、爪部を形成する前記ポケットの両隣のポケット内に配置して、爪部を形成する前記ポケットの周方向両側の壁面を構成する２つの前記柱部の周方向の動きを規制し、
前記爪部形成工程は、前記貫通孔の周方向壁面に沿って案内される貫通孔壁面ガイド部を備える前記爪部形成冶具を用いて、爪部を形成する工程を含む、請求項１〜３のいずれかに記載の保持器の製造方法。
【請求項５】
前記柱部移動規制工程は、軸方向から見た場合に、前記突出部が、先端に向かって幅が細くなる形状の前記柱部移動規制冶具を用いて、前記柱部の周方向の動きを規制する工程を含む、請求項４に記載の保持器の製造方法。
【請求項６】
前記配置工程は、前記大幅部のうち、前記ポケット壁面ガイド部側に位置する角部が、軸方向から見た場合に面取りされている前記爪部形成冶具を用いて、前記ポケット壁面ガイド部を前記ポケット内に配置させる工程を含む、請求項１〜５のいずれかに記載の保持器の製造方法。
【請求項７】
ころを収容するポケットを形成するように、周方向に間隔を空けて軸方向に延びる複数の柱部が設けられており、前記ポケットの周方向壁面には、前記ポケット側に突出し、前記ポケットに収容されたころの脱落を防止する爪部が設けられている保持器であって、
円筒形状の保持器部材の所定の箇所を開口するようにして、複数の前記ポケットを形成し、
爪部を形成する前記ポケットの周方向壁面を構成する前記柱部の周方向の動きを規制し、
棒状であって、その先端に設けられ、前記ポケットの周方向両側の壁面に沿って案内されるポケット壁面ガイド部と、前記ポケット壁面ガイド部から後退した位置に設けられ、前記ポケットの周方向幅より大きい大幅部とを備える爪部形成冶具を用いて、前記ポケット壁面ガイド部を前記ポケット内に配置させ、
前記爪部形成冶具を径方向に押し進めて、前記大幅部により前記ポケットの周方向壁面の一部を塑性変形させて爪部を形成したことを特徴とする、保持器。
【請求項８】
ころを収容するポケットを形成するように、周方向に間隔を空けて軸方向に延びる複数の柱部が設けられており、前記ポケットの周方向壁面には、前記ポケット側に突出し、前記ポケットに収容されたころの脱落を防止する爪部が設けられている保持器を製造する際に用いられる保持器製造装置であって、
爪部を形成する前記ポケットの周方向壁面を構成する前記柱部の周方向の動きを規制する柱部移動規制手段と、
棒状であって、その先端に設けられ、前記ポケットの周方向両側の壁面に沿って案内されるポケット壁面ガイド部と、前記ポケット壁面ガイド部から後退した位置に設けられ、前記ポケットの周方向幅より大きい大幅部とを備える爪部形成冶具と、
前記ポケット壁面ガイド部を前記ポケット内に配置させる配置手段と、
前記爪部形成冶具を径方向に押し進めて、前記大幅部により前記ポケットの周方向壁面の一部を塑性変形させて爪部を形成する爪部形成手段とを備える、保持器製造装置。
【発明の詳細な説明】
【技術分野】
【０００１】
この発明は、保持器の製造方法、保持器、および保持器製造装置に関するものであって、特に、ころの径方向の脱落を防止する爪部を備える保持器の製造方法、保持器、および保持器製造装置に関するものである。
【背景技術】
【０００２】
ケージアンドローラタイプの針状ころ軸受等に用いられる保持器においては、ポケットにころを収容したまま運搬等が行われるため、ポケットに収容されたころの脱落を防止する必要がある。そこで、このような保持器には、ポケットの周方向壁面からポケット側に突出した形状の爪部が設けられている。この爪部により、ころの脱落を防止することとしている。
【０００３】
また、このような爪部の設けられている保持器は、例えば、特開２００２−１０６５７５号公報（特許文献１）、および特開２００６−１２５４５７号公報（特許文献２）に開示されている。
【０００４】
特許文献１によると、保持器は、柱部の外径側面全体を塑性変形させることにより、爪部としての凸状保持部を形成することとしている。
【０００５】
また、特許文献２によると、保持器は、柱部に対して、柱部の外径側面を外径側から押圧すると共に、柱部の周方向壁面を周方向両側から押圧することにより、爪部としての張り出し部を形成することとしている。
【先行技術文献】
【特許文献】
【０００６】
【特許文献１】特開２００２−１０６５７５号公報
【特許文献２】特開２００６−１２５４５７号公報
【発明の概要】
【発明が解決しようとする課題】
【０００７】
ここで、保持器の製造方法の一例について簡単に説明する。まず、円筒形状の保持器部材を準備する。次に、準備した保持器部材の一部をポケット形状に打ち抜く。具体的には、保持器部材を所定の角度ずつ回転させながら、周方向に順次１つずつ打ち抜く。これにより、保持器部材は、複数のポケットを形成され、一対の環状部と、隣り合うそれぞれのポケット間に位置して、一対の環状部を連結する複数の柱部とを有する構成となる。そして、ポケットの周方向壁面の一部をポケット側に向かって突出させる。このようにして形成された爪部によって、ポケットに収容されたころの径方向の脱落を防止する。
【０００８】
ここで、保持器は、複数のポケットを形成される際に、保持器部材を所定の角度ずつ回転させるピッチがそれぞれ微小に異なる場合がある。そうすると、ポケット間に位置する柱部の周方向長さがそれぞれ微小に異なってしまう。この場合、ピッチの誤差は、順次蓄積されることから、最初に形成したポケットの隣に位置する柱部と、最後に形成したポケットの隣に位置する柱部とでは、周方向長さが異なることとなってしまう。そのため、保持器部材を所定の角度ずつ回転させるピッチを厳しく管理する必要がある。
【０００９】
特許文献１および特許文献２に開示の技術では、柱部の外径側面に対して加工を施すことにより爪部を形成することとしている。図２０は、従来において、爪部を形成する場合を示す図であって、柱部１０１を回転軸線に垂直な方向に切断した場合の断面図である。図２０を参照して、爪部を形成する際には、冶具１０３を柱部１０１の周方向両側に配置する。そして、柱部１０１の外径側に配置された冶具１０２により、柱部１０１の外径側面１０１ａを内径側に向かう方向、すなわち、図２０中の矢印Ｂで示す方向に押し進める。そして、柱部１０１の周方向壁面１０１ｂ，１０１ｃの一部をポケット側に突出させる。ここで、冶具１０２は、複数の柱部１０１に対して、同じ力で押し進められる。そうすると、複数の柱部１０１の周方向長さがそれぞれ異なる場合には、爪部を形成する体積が柱部毎に異なるため、形成される爪部の突出量が異なることになってしまう。
【００１０】
この発明の目的は、柱部の周方向長さがそれぞれ異なる場合であっても、周方向の突出量がそれぞれ等しい爪部を容易に形成することができる保持器の製造方法を提供することである。
【００１１】
この発明の他の目的は、柱部の周方向長さがそれぞれ異なる場合であっても、周方向の突出量がそれぞれ等しい爪部を容易に形成することができる保持器を提供することである。
【００１２】
この発明のさらに他の目的は、柱部の周方向長さがそれぞれ異なる場合であっても、周方向の突出量がそれぞれ等しい爪部を容易に形成することができる保持器製造装置を提供することである。
【課題を解決するための手段】
【００１３】
この発明にかかる保持器の製造方法は、ころを収容するポケットを形成するように、周方向に間隔を空けて軸方向に延びる複数の柱部が設けられており、ポケットの周方向壁面には、ポケット側に突出し、ポケットに収容されたころの脱落を防止する爪部が設けられている保持器の製造方法である。保持器の製造方法は、円筒形状の保持器部材の所定の箇所を開口するようにして、複数のポケットを形成するポケット形成工程と、爪部を形成するポケットの周方向壁面を構成する柱部の周方向の動きを規制する柱部移動規制工程と、棒状であって、その先端に設けられ、ポケットの周方向両側の壁面に沿って案内されるポケット壁面ガイド部と、ポケット壁面ガイド部から後退した位置に設けられ、ポケットの周方向幅より大きい大幅部とを備える爪部形成冶具を用いて、ポケット壁面ガイド部をポケット内に配置させる配置工程と、爪部形成冶具を径方向に押し進めて、大幅部によりポケットの周方向壁面の一部を塑性変形させて爪部を形成する爪部形成工程とを備える。
【００１４】
このような保持器の製造方法は、ポケットの周方向両側の壁面に沿って案内されるポケット壁面ガイド部をポケット内に配置させ、爪部形成冶具を径方向に押し進めて、ポケット壁面ガイド部から後退した位置に設けられる大幅部により爪部を形成する。したがって、爪部を形成する際には、ポケットの周方向両側の壁面に沿って案内されるポケット壁面ガイド部により、爪部形成冶具の周方向の位置決めを行うことができる。そうすると、位置決めが行われた爪部形成冶具を径方向に押し進めて、爪部を形成する際に、形成される爪部の突出量を等しくさせることができる。すなわち、周方向長さが等しいポケットを基準にするため、爪部を形成する体積が等しくなる。その結果、周方向の突出量がそれぞれ等しい爪部を容易に形成することができる。
【００１５】
好ましくは、柱部移動規制工程は、爪部を形成するポケットの周方向両側の壁面を構成する２つの柱部の周方向の動きを規制し、配置工程は、周方向の中心から周方向一方端までの長さと、周方向の中心から周方向他方端までの長さとが等しい大幅部を備える爪部形成冶具を用いて、ポケット壁面ガイド部をポケット内に配置させる工程を含む。こうすることにより、工数を増やすことなく、周方向両側に位置する爪部をまとめて形成することができる。このとき、大幅部は、周方向の中心から周方向一方端までの長さと、周方向の中心から周方向他方端までの長さとが等しく構成されるため、周方向の突出量がそれぞれ等しい爪部を形成することができる。
【００１６】
さらに好ましくは、爪部は、外径側へのころの脱落を防止する第一の爪部と、内径側へのころの脱落を防止する第二の爪部とを含み、爪部形成工程は、爪部形成冶具の一度の径方向の押し進めにより、ポケットの周方向壁面の内径側および外径側の領域を塑性変形させて、第一および第二の爪部を形成する工程を含む。こうすることにより、工数を増やすことなく、第一および第二の爪部をまとめて形成することができる。
【００１７】
さらに好ましくは、柱部移動規制工程は、ブロック状のベース部と、ベース部から径方向に突出し、爪部を形成するポケットの両隣のポケット内に配置可能な第一および第二の突出部を備え、ベース部を突出方向に貫通する貫通孔が設けられている柱部移動規制冶具を用いることにより、第一および第二の突出部を、爪部を形成するポケットの両隣のポケット内に配置して、爪部を形成するポケットの周方向両側の壁面を構成する２つの柱部の周方向の動きを規制し、爪部形成工程は、貫通孔の周方向壁面に沿って案内される貫通孔壁面ガイド部を備える爪部形成冶具を用いて、爪部を形成する工程を含む。こうすることにより、柱部移動規制冶具により柱部の周方向の動きを規制すると共に、爪部形成冶具の周方向の位置決めを容易に行うことができる。
【００１８】
さらに好ましくは、柱部移動規制工程は、軸方向から見た場合に、突出部が、先端に向かって幅が細くなる形状の柱部移動規制冶具を用いて、柱部の周方向の動きを規制する工程を含む。こうすることにより、突出部を容易にポケット内に配置することができる。
【００１９】
さらに好ましくは、配置工程は、大幅部のうち、ポケット壁面ガイド部側に位置する角部が、軸方向から見た場合に面取りされている爪部形成冶具を用いて、ポケット壁面ガイド部をポケット内に配置させる工程を含む。こうすることにより、ポケット内にポケット壁面ガイド部を配置した際に、例えば、周方向一方側に偏って配置された場合であっても、爪部形成冶具を径方向に押し進める際に、ポケット壁面ガイド部の周方向の中心がポケットの周方向の中心に位置するよう、軌道修正させることができる。
【００２０】
この発明の他の局面においては、ころを収容するポケットを形成するように、周方向に間隔を空けて軸方向に延びる複数の柱部が設けられており、ポケットの周方向壁面には、ポケット側に突出し、ポケットに収容されたころの脱落を防止する爪部が設けられている保持器に関する。保持器は、円筒形状の保持器部材の所定の箇所を開口するようにして、複数のポケットを形成し、爪部を形成するポケットの周方向壁面を構成する柱部の周方向の動きを規制し、棒状であって、その先端に設けられ、ポケットの周方向両側の壁面に沿って案内されるポケット壁面ガイド部と、ポケット壁面ガイド部から後退した位置に設けられ、ポケットの周方向幅より大きい大幅部とを備える爪部形成冶具を用いて、ポケット壁面ガイド部をポケット内に配置させ、爪部形成冶具を径方向に押し進めて、大幅部によりポケットの周方向壁面の一部を塑性変形させて爪部を形成したことを特徴とする。
【００２１】
このような保持器は、ポケットの周方向両側の壁面に沿って案内されるポケット壁面ガイド部をポケット内に配置させ、爪部形成冶具を径方向に押し進めて、ポケット壁面ガイド部から後退した位置に設けられる大幅部により爪部を形成する。したがって、爪部を形成する際には、ポケットの周方向両側の壁面に沿って案内されるポケット壁面ガイド部により、爪部形成冶具の周方向の位置決めを行うことができる。そうすると、位置決めが行われた爪部形成冶具を径方向に押し進めて、爪部を形成する際に、形成される爪部の突出量を等しくさせることができる。すなわち、周方向長さが等しいポケットを基準にするため、爪部を形成する体積が等しくなる。その結果、周方向の突出量がそれぞれ等しい爪部を容易に形成することができる。
【００２２】
この発明のさらに他の局面においては、ころを収容するポケットを形成するように、周方向に間隔を空けて軸方向に延びる複数の柱部が設けられており、ポケットの周方向壁面には、ポケット側に突出し、ポケットに収容されたころの脱落を防止する爪部が設けられている保持器を製造する際に用いられる保持器製造装置に関する。保持器製造装置は、爪部を形成するポケットの周方向壁面を構成する柱部の周方向の動きを規制する柱部移動規制手段と、棒状であって、その先端に設けられ、ポケットの周方向両側の壁面に沿って案内されるポケット壁面ガイド部と、ポケット壁面ガイド部から後退した位置に設けられ、ポケットの周方向幅より大きい大幅部とを備える爪部形成冶具と、ポケット壁面ガイド部をポケット内に配置させる配置手段と、爪部形成冶具を径方向に押し進めて、大幅部によりポケットの周方向壁面の一部を塑性変形させて爪部を形成する爪部形成手段とを備える。
【００２３】
このような保持器製造装置は、ポケットの周方向両側の壁面に沿って案内されるポケット壁面ガイド部をポケット内に配置させ、爪部形成冶具を径方向に押し進めて、ポケット壁面ガイド部から後退した位置に設けられる大幅部により爪部を形成する。したがって、爪部を形成する際には、ポケットの周方向両側の壁面に沿って案内されるポケット壁面ガイド部により、爪部形成冶具の周方向の位置決めを行うことができる。そうすると、位置決めが行われた爪部形成冶具を径方向に押し進めて、爪部を形成する際に、形成される爪部の突出量を等しくさせることができる。すなわち、周方向長さが等しいポケットを基準にするため、爪部を形成する体積が等しくなる。その結果、周方向の突出量がそれぞれ等しい爪部を容易に形成することができる。
【発明の効果】
【００２４】
この発明に係る保持器の製造方法は、ポケットの周方向両側の壁面に沿って案内されるポケット壁面ガイド部をポケット内に配置させ、爪部形成冶具を径方向に押し進めて、ポケット壁面ガイド部から後退した位置に設けられる大幅部により爪部を形成する。したがって、爪部を形成する際には、ポケットの周方向両側の壁面に沿って案内されるポケット壁面ガイド部により、爪部形成冶具の周方向の位置決めを行うことができる。そうすると、位置決めが行われた爪部形成冶具を径方向に押し進めて、爪部を形成する際に、形成される爪部の突出量を等しくさせることができる。すなわち、周方向長さが等しいポケットを基準にするため、爪部を形成する体積が等しくなる。その結果、周方向の突出量がそれぞれ等しい爪部を容易に形成することができる。
【００２５】
また、この発明に係る保持器は、ポケットの周方向両側の壁面に沿って案内されるポケット壁面ガイド部をポケット内に配置させ、爪部形成冶具を径方向に押し進めて、ポケット壁面ガイド部から後退した位置に設けられる大幅部により爪部を形成する。したがって、爪部を形成する際には、ポケットの周方向両側の壁面に沿って案内されるポケット壁面ガイド部により、爪部形成冶具の周方向の位置決めを行うことができる。そうすると、位置決めが行われた爪部形成冶具を径方向に押し進めて、爪部を形成する際に、形成される爪部の突出量を等しくさせることができる。すなわち、周方向長さが等しいポケットを基準にするため、爪部を形成する体積が等しくなる。その結果、周方向の突出量がそれぞれ等しい爪部を容易に形成することができる。
【００２６】
また、この発明に係る保持器製造装置は、ポケットの周方向両側の壁面に沿って案内されるポケット壁面ガイド部をポケット内に配置させ、爪部形成冶具を径方向に押し進めて、ポケット壁面ガイド部から後退した位置に設けられる大幅部により爪部を形成する。したがって、爪部を形成する際には、ポケットの周方向両側の壁面に沿って案内されるポケット壁面ガイド部により、爪部形成冶具の周方向の位置決めを行うことができる。そうすると、位置決めが行われた爪部形成冶具を径方向に押し進めて、爪部を形成する際に、形成される爪部の突出量を等しくさせることができる。すなわち、周方向長さが等しいポケットを基準にするため、爪部を形成する体積が等しくなる。その結果、周方向の突出量がそれぞれ等しい爪部を容易に形成することができる。
【図面の簡単な説明】
【００２７】
【図１】この発明の一実施形態に係る保持器を回転軸線に沿って切断した場合の回転軸線を含む断面の一部を内径側から見た図である。
【図２】図１中のＩＩで囲んだ領域を拡大した図である。
【図３】図１中のＩＩＩ−ＩＩＩで切断した場合の断面の一部を軸方向に見た図である。
【図４】図１中のＩＶ−ＩＶで切断した場合の断面の一部を軸方向に見た図である。
【図５】保持器の主な製造工程を示すフローチャートである。
【図６】保持器部材を示す図であって、回転軸線に沿って切断した場合の回転軸線を含む断面の一部を内径側から見た図である。
【図７】図６に示す保持器部材にポケットを形成した場合の保持器部材を示す図である。
【図８】保持器製造装置を径方向に見た図である。
【図９】図８中の矢印ＩＸの方向、すなわち、保持器製造装置を軸方向に見た図である。
【図１０】一対の固定金型により、保持器部材を固定させた状態を示す断面図である。
【図１１】柱部移動規制冶具を用いて、ポケットの周方向両側の壁面を構成する２つの柱部の周方向の動きを規制する場合の詳細について示す図である。
【図１２】第一および第二の突出部が、ポケット内に配置された場合を拡大した図である。
【図１３】ポケットに内径側爪部形成冶具のポケット壁面ガイド部を配置する場合の詳細について示す図である。
【図１４】ポケット壁面ガイド部がポケットに配置された場合を拡大した図である。
【図１５】角部が、ポケットの周方向壁面と当接した場合を示す図である。
【図１６】ポケットの周方向壁面の一部を塑性変形させる場合の詳細を示す図である。
【図１７】第一の爪部を形成する場合において、ポケットの周方向壁面の一部を塑性変形させる場合の詳細を示す図である。
【図１８】一対の加締め部が、柱部の外径側の部分を加締めた場合を拡大した図である。
【図１９】この発明の他の実施形態に係る保持器の一例を示す図である。
【図２０】従来において、爪部を形成する場合を示す図であって、柱部を回転軸線に垂直な方向に切断した場合の断面図である。
【発明を実施するための形態】
【００２８】
以下、図面を参照して、この発明の一実施形態に係る保持器について説明する。図１は、この発明の一実施形態に係る保持器１１を回転軸線に沿って切断した場合の回転軸線を含む断面の一部を内径側から見た図である。図２は、図１中のＩＩで囲んだ領域を拡大した図である。図３は、図１中のＩＩＩ−ＩＩＩで切断した場合の断面の一部を軸方向に見た図である。図４は、図１中のＩＶ−ＩＶで切断した場合の断面の一部を軸方向に見た図である。
【００２９】
図１〜図４を参照して、保持器１１は、軸方向両端部に位置する一対の環状部１２ａ，１２ｂと、一対の環状部１２ａ，１２ｂを連結し、軸方向に延びる複数の柱部１３とを備える。
【００３０】
柱部１３は、軸方向に延びる形状である。そして、長手方向一方側端部で一方側の環状部１２ａと連結し、長手方向他方側端部で他方側の環状部１２ｂと連結する。すなわち、環状部１２ａ，１２ｂは、柱部１３を周方向に連結する。柱部１３は、相対的に内径側に位置し、軸方向中央部に位置する柱中央部１８、柱中央部１８の軸方向両端部から傾斜して延びる一対の柱傾斜部１７ａ，１７ｂ、および相対的に外径側に位置し、一対の柱傾斜部１７ａ，１７ｂの軸方向端部から軸方向に延びる一対の延出部１６ａ，１６ｂを備える。すなわち、保持器１１は、回転軸線に沿った断面が略Ｖ字状のいわゆるＶ型保持器である。また、隣接する柱部１３の間には、ころ１５を収容するポケット１４が設けられている。
【００３１】
ポケット１４は、周方向に間隔を空けて複数設けられている。ポケット１４は、柱部１３の周方向壁面１４ａと一対の環状部１２ａ，１２ｂの軸方向壁面１４ｂ，１４ｃとから構成される。すなわち、柱部１３の周方向壁面１４ａは、ポケット１４の周方向壁面１４ａとなる。そして、柱部１３は、複数のポケット１４を形成するように、周方向に間隔を空けて複数設けられている。ポケット１４の周方向壁面１４ａには、ころ１５の径方向の脱落を防止する第一の爪部１９ａ，１９ｂと第二の爪部２０ａ，２０ｂとが設けられている。
【００３２】
第一の爪部１９ａ，１９ｂは、ポケット１４の周方向壁面１４ａからポケット１４側に突出した形状である。第一の爪部１９ａ，１９ｂは、一対の延出部１６ａ，１６ｂにそれぞれ設けられており、外径側に位置する。これにより、ころ１５の外径側への脱落を防止する。
【００３３】
第二の爪部２０ａ，２０ｂは、ポケット１４の周方向壁面１４ａから周方向に突出した形状である。第二の爪部２０ａ，２０ｂは、柱中央部１８の軸方向両端にそれぞれ設けられており、内径側に位置する。これにより、ころ１５の内径側への脱落を防止する。
【００３４】
第一および第二の爪部１９ａ，１９ｂ，２０ａ，２０ｂは、ころ１５の転動を阻害することなく、ころ１５が抜け出ようとしても、引っ掛かることが可能な程度に突出した形状である。
【００３５】
ここで、上記した保持器１１の製造方法について説明する。図５は、保持器１１の主な製造工程を示すフローチャートである。
【００３６】
まず、部材準備工程として、回転軸線を含む断面が略Ｖ字状となる円筒形状の保持器部材を準備する（Ｓ１１）。図６は、保持器部材２３を示す図であって、回転軸線に沿って切断した場合の回転軸線を含む断面の一部を内径側から見た図である。
【００３７】
次に、ポケット形成工程として、保持器部材２３に対して、例えば打ち抜き加工を施すことにより、保持器部材２３の所定の箇所を開口するようにして、複数のポケットを形成する（Ｓ１２）。図７は、図６に示す保持器部材２３にポケット５２を形成した場合の保持器部材２４を示す図である。これにより、保持器部材２４には、一対の環状部５０ａ，５０ｂと一対の環状部５０ａ，５０ｂを連結する複数の柱部５１とが形成される。ポケット５２は、周方向に間隔を空けて複数形成される。ポケット５２は、柱部５１の周方向壁面５２ａと一対の環状部５０ａ，５０ｂの軸方向壁面５２ｂ，５２ｃとから構成される。すなわち、柱部５１の周方向壁面５２ａは、ポケット５２の周方向壁面５２ａとなる。そして、柱部５１は、複数のポケット５２を形成するように、周方向に間隔を空けて複数設けられている。柱部５１は、相対的に内径側に位置し、軸方向中央部に位置する柱中央部５４、柱中央部５４の軸方向両端部から傾斜して延びる一対の柱傾斜部５５ａ，５５ｂ、および相対的に外径側に位置し、一対の柱傾斜部５５ａ，５５ｂの軸方向端部から軸方向に真っ直ぐに延びる一対の延出部５３ａ，５３ｂを備える。
【００３８】
次に、冶具準備工程として、爪部を形成するための冶具を準備する（Ｓ１３）。具体的には、冶具として、保持器製造装置７５を準備する。
【００３９】
ここで、保持器製造装置７５について説明する。図８は、保持器製造装置７５を径方向に見た図である。図９は、図８中の矢印ＩＸの方向、すなわち、保持器製造装置７５を軸方向に見た図である。なお、図９中の保持器部材２４においては、図８中の矢印Ａ−Ａで切断した場合の断面を示しており、ポケットおよび柱部においては、一部のみを示している。図８および図９を参照して、保持器製造装置７５は、保持器製造装置７５を構成する各冶具の動きを制御する制御部（図示せず）と、一対の固定金型２５ａ，２５ｂと、柱部移動規制冶具３０と、爪部形成冶具４５とを備える。
【００４０】
一対の固定金型２５ａ，２５ｂは、保持器部材２４を挟んで、軸方向一方側および軸方向他方側に配置される。そして、保持器部材２４に近づく方向および離れる方向に移動可能である。一対の固定金型２５ａ，２５ｂは、環状であって、外周面５６の一部において径方向に凹む凹部６０ａ，６０ｂが設けられている。凹部６０ａ，６０ｂは、軸方向端部で互いに対向するように設けられている。一対の固定金型２５ａ，２５ｂは、保持器部材２４の延出部５３ａ，５３ｂに沿う形状の大径側固定端部２６ａ，２７ａと、柱傾斜部５５ａ，５５ｂに沿う形状の傾斜固定部２６ｂ，２７ｂと、柱中央部５４に沿う形状の小径側固定端部２６ｃ，２７ｃとを備える。一対の固定金型２５ａ，２５ｂは、保持器部材２４に近づく方向に移動すると、保持器部材２４の内周面２４ａと一対の固定金型２５ａ，２５ｂの外周面５６とが当接する。これにより、一対の固定金型２５ａ，２５ｂは、保持器部材２４を固定する。
【００４１】
柱部移動規制冶具３０は、保持器部材２４の外径側に配置される。そして、保持器部材２４に近づく方向および離れる方向に移動可能である。柱部移動規制冶具３０は、ベース部２２と、第一および第二の突出部２８ａ，２８ｂとを備える。
【００４２】
第一および第二の突出部２８ａ，２８ｂは、周方向に所定の間隔Ｌ５を空けてそれぞれ配置される。所定の間隔Ｌ５は、ポケット５２の周方向両側の壁面を構成する２つの柱部５１ａ，５１ｂを含む長さＬ６である。突出部２８ａ，２８ｂは、ベース部２２から保持器部材２４に向かって径方向に突出している。突出部２８ａ，２８ｂは、柱中央部５４に対向するように配置される。突出部２８ａ，２８ｂの先端２９ａ，２９ｂは、内方側に位置する内方側面３２ａ，３２ｂと外方側に位置する外方側面３３ａ，３３ｂによって構成される。突出部２８ａ，２８ｂは、先端２９ａ，２９ｂに向かって幅が細くなる形状である。すなわち、内方側面３２ａ，３２ｂと外方側面３３ａ，３３ｂとで成す角が、鋭角になるような形状である。突出部２８ａ，２８ｂは、保持器部材２４に近づく方向に移動すると、先端２９ａ，２９ｂが、爪部を形成するポケット５２の周方向両隣に位置するポケット６１ａ，６１ｂ内に配置される。
【００４３】
ベース部２２は、ブロック状であって、第一および第二の突出部２８ａ，２８ｂの間に、突出方向に貫通する貫通孔３１が設けられている。この貫通孔３１には、爪部形成冶具４５を収容可能である。
【００４４】
爪部形成冶具４５は、内径側爪部形成冶具３５と、外径側爪部形成冶具４０とを含む。内径側爪部形成冶具３５は、保持器部材２４の外径側に配置される。そして、保持器部材２４に近づく方向および離れる方向に移動可能である。内径側爪部形成冶具３５の軸方向長さは、柱中央部５４と同じである。内径側爪部形成冶具３５は、柱中央部５４に対向するように配置される。内径側爪部形成冶具３５は、棒状であって、その先端に設けられるポケット壁面ガイド部５８と、ポケット壁面ガイド部５８から後退した位置に設けられる大幅部５９とを備える。ポケット壁面ガイド部５８および大幅部５９は、内径側爪部形成冶具３５の軸方向両端部に設けられている。
【００４５】
ポケット壁面ガイド部５８は、周方向幅Ｌ２が、ポケット５２の周方向幅Ｌ１に沿う大きさである。ポケット壁面ガイド部５８がポケット５２内に配置されると、微小なすき間ができることとなる。大幅部５９は、ポケット壁面ガイド部５８側に位置する角部５７において、軸方向から見た場合、面取りされている。また、大幅部５９は、周方向幅Ｌ３が、ポケット５２の周方向幅Ｌ１より大きく構成される。すなわち、大幅部５９は、ポケット壁面ガイド部５８の周方向幅Ｌ２より大きく構成される。具体的には、大幅部５９の周方向の中心ｌ１は、ポケット壁面ガイド部５８の周方向の中心と一致し、大幅部５９において、周方向の中心から周方向一方端までの長さＬ７と、周方向の中心から周方向他方端までの長さＬ８とが等しくなるように構成される。すなわち、内径側爪部形成冶具３５は、軸方向から見た場合、周方向の中心ｌ１を中心として図９に示すように左右対称となる。また、周方向一方側において、ポケット壁面ガイド部５８と大幅部５９との長さの差は、柱部の周方向長さより小さい。
【００４６】
内径側爪部形成冶具３５は、保持器部材２４に近づく方向に移動すると、ポケット壁面ガイド部５８がポケット５２の周方向両側の壁面６３ａ，６３ｂに沿って案内される。そして、ポケット壁面ガイド部５８がポケット５２内に配置される。さらに保持器部材２４に近づく方向に移動すると、大幅部５９がポケット５２の周方向両側の壁面６３ａ，６３ｂの一部を塑性変形する。
【００４７】
外径側爪部形成冶具４０は、保持器部材２４の外径側に配置される。そして、保持器部材２４に近づく方向および離れる方向に移動可能である。外径側爪部形成冶具４０の軸方向幅は、保持器部材２４と同じである。外径側爪部形成冶具４０の軸方向中央部には、径方向に貫通する貫通孔４２が設けられている。この貫通孔４２には、内径側爪部形成冶具３５の大幅部５９を収容可能である。外径側爪部形成冶具４０は、保持器部材２４に対向する面４０ａにおいて、面４０ａから保持器部材２４に向かって突出する一対の加締め部４１ａ，４１ｂと、一対の加締め部４１ａ，４１ｂから後退した位置に設けられる貫通孔壁面ガイド部４３とを備える。
【００４８】
一対の加締め部４１ａ，４１ｂは、ポケット５２の周方向幅Ｌ１より大きい間隔Ｌ４をあけて設けられている。また、一対の加締め部４１ａ，４１ｂは、周方向の中心ｌ２を中心として、左右対称となるように設けられている。
【００４９】
外径側爪部形成冶具４０は、保持器部材２４に近づく方向に移動すると、貫通孔壁面ガイド部４３が柱部移動規制冶具３０の貫通孔３１の周方向壁面に沿って案内される。さらに保持器部材２４に近づく方向に移動すると、一対の加締め部４１ａ，４１ｂがポケット５２の周方向両側の壁面６３ａ，６３ｂの一部を塑性変形する。
【００５０】
次に、柱部移動規制工程として、爪部を形成するポケット５２の周方向両側の壁面６３ａ，６３ｂを構成する２つの柱部５１ａ，５１ｂの周方向の動きを規制する（Ｓ１４）。
【００５１】
具体的には、まず、一対の固定金型２５ａ，２５ｂを保持器部材２４に近づく方向に移動させることにより、保持器部材２４を固定する。図１０は、一対の固定金型２５ａ，２５ｂにより、保持器部材２４を固定させた状態を示す断面図である。図１０を参照して、保持器部材２４の内周面２４ａと一対の固定金型２５ａ，２５ｂの外周面５６とが当接した状態となっている。
【００５２】
次に、柱部移動規制冶具３０を用いることにより、ポケット５２の周方向両側の壁面６３ａ，６３ｂを構成する２つの柱部５１ａ，５１ｂの周方向の動きを規制する。図１１は、柱部移動規制冶具３０を用いて、ポケット５２の周方向両側の壁面６３ａ，６３ｂを構成する２つの柱部５１ａ，５１ｂの周方向の動きを規制する場合の詳細について示す図である。図１１中の保持器部材２４は、図１０中のＸＩ−ＸＩで切断した場合の断面の一部を示している。図１１を参照して、柱部移動規制冶具３０は、保持器部材２４に近づく方向に移動する。そうすると、図１２に示すように、第一および第二の突出部２８ａ，２８ｂが、爪部を形成するポケット５２の両隣のポケット６１ａ，６１ｂ内に配置される。具体的には、ポケット５２の周方向一方側の隣りに位置するポケット６１ａに第一の突出部２８ａの先端２９ａが挿入され、ポケット５２の周方向他方側の隣りに位置するポケット６１ｂに第二の突出部２８ｂの先端２９ｂが挿入される。これにより、柱部移動規制冶具３０は、突出部２８ａの内方側面３２ａが、柱部５１ａのポケット５２側と異なる周方向壁面６２ａと当接して、柱部５１ａの柱中央部５４を固定する。また、突出部２８ｂの内方側面３２ｂが、柱部５１ｂのポケット５２側と異なる周方向壁面６２ｂと当接して、柱部５１ｂの柱中央部５４を固定する。これにより、柱部移動規制冶具３０は、柱部５１ａ，５１ｂの周方向の動きを規制する。なお、図１２は、第一および第二の突出部２８ａ，２８ｂが、ポケット６１ａ，６１ｂ内に配置された場合を拡大した図である。
【００５３】
次に、配置工程として、ポケット５２に内径側爪部形成冶具３５のポケット壁面ガイド部５８を配置する（Ｓ１５）。図１３は、ポケット５２に内径側爪部形成冶具３５のポケット壁面ガイド部５８を配置する場合の詳細について示す図である。図１３を参照して、内径側爪部形成冶具３５は、柱部移動規制冶具３０の貫通孔３１を通って、保持器部材２４に近づく方向に押し進められる。そうすると、図１４に示すように、ポケット壁面ガイド部５８はポケット５２内に配置される。なお、図１４は、ポケット壁面ガイド部５８がポケット５２に配置された場合を拡大した図である。
【００５４】
さらに、内径側爪部形成冶具３５が、保持器部材２４に近づく方向に押し進められると、図１５に示すように、面取り形状の角部５７が、ポケット５２の周方向壁面６３ａ，６３ｂと当接する。なお、図１５は、角部５７が、ポケット５２の周方向壁面６３ａ，６３ｂと当接した場合を示す図である。
【００５５】
そして、爪部形成工程として、内径側爪部形成冶具３５を径方向に押し進めて、ポケット５２の周方向壁面６３ａ，６３ｂの一部を塑性変形させ、爪部を形成する（Ｓ１６）。図１６は、ポケット５２の周方向壁面６３ａ，６３ｂの一部を塑性変形させる場合の詳細を示す図である。図１６を参照して、ポケット壁面ガイド部５８がポケット５２内に配置された状態から、内径側爪部形成冶具３５をさらに径方向に押し進める。そうすると、大幅部５９は、ポケット壁面ガイド部５８とポケット５２との微小なすき間を埋めるようにして、ポケット５２の周方向壁面６３ａ，６３ｂの外径側の部分を内径側に押し出し、ポケット５２の周方向壁面６３ａ，６３ｂのうちの内径側において、ポケット５２の周方向壁面６３ａ，６３ｂからポケット５２側に突出させる。これにより、内径側に位置する第二の爪部２０ａ，２０ｂが形成される。
【００５６】
このようにして、保持器１１を製造する。すなわち、保持器１１の製造方法は、ポケット６２の周方向両側の壁面６３ａ，６３ｂに沿って案内されるポケット壁面ガイド部５８をポケット５２内に配置させ、爪部形成冶具４５を径方向に押し進めて、ポケット壁面ガイド部５８から後退した位置に設けられる大幅部５９により爪部２０ａ，２０ｂを形成する。したがって、爪部２０ａ，２０ｂを形成する際には、ポケット５２の周方向両側の壁面６３ａ，６３ｂに沿って案内されるポケット壁面ガイド部５８により、爪部形成冶具４５の周方向の位置決めを行うことができる。そうすると、位置決めが行われた爪部形成冶具４５を径方向に押し進めて、爪部２０ａ，２０ｂを形成する際に、形成される爪部２０ａ，２０ｂの突出量を等しくさせることができる。すなわち、周方向長さが等しいポケット５２を基準として、爪部２０ａ，２０ｂを形成することができる。その結果、周方向の突出量がそれぞれ等しい爪部２０ａ，２０ｂを形成することができる。
【００５７】
また、このような保持器１１は、ポケット６２の周方向両側の壁面６３ａ，６３ｂに沿って案内されるポケット壁面ガイド部５８をポケット５２内に配置させ、爪部形成冶具４５を径方向に押し進めて、ポケット壁面ガイド部５８から後退した位置に設けられる大幅部５９により爪部２０ａ，２０ｂを形成する。したがって、爪部２０ａ，２０ｂを形成する際には、ポケット５２の周方向両側の壁面６３ａ，６３ｂに沿って案内されるポケット壁面ガイド部５８により、爪部形成冶具４５の周方向の位置決めを行うことができる。そうすると、位置決めが行われた爪部形成冶具４５を径方向に押し進めて、爪部２０ａ，２０ｂを形成する際に、形成される爪部２０ａ，２０ｂの突出量を等しくさせることができる。すなわち、周方向長さが等しいポケット５２を基準として、爪部２０ａ，２０ｂを形成することができる。その結果、周方向の突出量がそれぞれ等しい爪部２０ａ，２０ｂを形成することができる。
【００５８】
また、このような保持器製造装置７５は、ポケット６２の周方向両側の壁面６３ａ，６３ｂに沿って案内されるポケット壁面ガイド部５８をポケット５２内に配置させ、爪部形成冶具４５を径方向に押し進めて、ポケット壁面ガイド部５８から後退した位置に設けられる大幅部５９により爪部２０ａ，２０ｂを形成する。したがって、爪部２０ａ，２０ｂを形成する際には、ポケット５２の周方向両側の壁面６３ａ，６３ｂに沿って案内されるポケット壁面ガイド部５８により、爪部形成冶具４５の周方向の位置決めを行うことができる。そうすると、位置決めが行われた爪部形成冶具４５を径方向に押し進めて、爪部２０ａ，２０ｂを形成する際に、形成される爪部２０ａ，２０ｂの突出量を等しくさせることができる。すなわち、周方向長さが等しいポケット５２を基準として、爪部２０ａ，２０ｂを形成することができる。その結果、周方向の突出量がそれぞれ等しい爪部２０ａ，２０ｂを形成することができる。
【００５９】
また、この場合、柱部移動規制冶具３０により柱部５１ａ，５１ｂの周方向の動きを規制すると共に、貫通孔３１によって、爪部形成冶具４５の周方向の位置決めを容易に行うことができる。
【００６０】
また、この場合、突出部２８ａ，２８ｂが、先端に向かって幅が細くなる形状であるため、突出部２８ａ，２８ｂを容易にポケット６１ａ，６１ｂ内に配置することができる。
【００６１】
また、この場合、大幅部５９の角部５７が、面取りされているため、ポケット５２内にポケット壁面ガイド部５８を配置した際に、例えば、周方向一方側に偏って配置された場合であっても、爪部形成冶具４５を径方向に押し進める際に、ポケット壁面ガイド部５８の周方向の中心がポケット５２の周方向の中心に位置するよう、軌道修正させることができる。
【００６２】
また、外径側に位置する第一の爪部１９ａ，１９ｂを形成する際には、外径側爪部形成冶具４０を用いる。図１７は、第一の爪部１９ａ，１９ｂを形成する場合において、ポケット５２の周方向壁面６３ａ，６３ｂの一部を塑性変形させる場合の詳細を示す図である。図１７中の保持器部材２４は、図１０中のＸＶＩＩ−ＸＶＩＩで切断した場合の断面の一部を示している。図１７を参照して、外径側爪部形成冶具４０は、保持器部材２４に近づく方向に押し進められる。このとき、柱部移動規制冶具３０は、貫通孔３１の周方向壁面に沿って、外径側爪部形成冶具４０の貫通孔壁面ガイド部４３を案内させる。また、内径側爪部形成冶具３５のポケット壁面ガイド部５８は、図１４〜図１６に示すようにポケット５２内に配置された状態である。したがって、内径側爪部形成冶具３５は、大幅部５９に沿って、外径側爪部形成冶具４０の貫通孔４２の周方向壁面を案内させる。このようにして、外径側爪部形成冶具４０は、保持器部材２４に近づく方向に押し進められる。そうすると、図１８に示すように、一対の加締め部４１ａ、４１ｂが、ポケット５２の周方向壁面６３ａ，６３ｂの外径側の部分を加締めて、ポケット５２の周方向壁面６３ａ，６３ｂのうちの外径側において、ポケット５２の周方向壁面６３ａ，６３ｂからポケット側に突出させる。これにより、外径側に位置する第一の爪部１９ａ，１９ｂが形成される。なお、図１８は、一対の加締め部４１ａ、４１ｂが、柱部５１ａ，５１ｂの外径側の部分を加締めた場合を拡大した図である。
【００６３】
なお、上記の実施の形態においては、爪部形成冶具４５は、内径側爪部形成冶具３５および外径側爪部形成冶具４０を含み、第二の爪部２０ａ，２０ｂを内径側爪部形成冶具３５を用いて形成し、第一の爪部１９ａ，１９ｂを外径側爪部形成冶具４０を用いて形成する例について説明したが、これに限ることなく、例えば爪部形成冶具を、内径側爪部形成冶具３５および外径側爪部形成冶具４０を組み合わせたような冶具とし、第一および第二の爪部１９ａ，１９ｂ，２０ａ，２０ｂを一度の径方向の押し進めにより、一工程で形成してもよい。こうすることにより、工数を増やすことなく、第一および第二の爪部１９ａ，１９ｂ，２０ａ，２０ｂをまとめて形成することができる。内径側爪部形成冶具３５および外径側爪部形成冶具４０を組み合わせたような冶具とは、外径側爪部形成冶具４０の貫通孔４２に、内径側爪部形成冶具３５が配置されたような冶具である。
【００６４】
また、第二の爪部２０ａ，２０ｂのみが必要となる保持器には、内径側爪部形成冶具３５のみを用いてもよい。また、第一の爪部１９ａ，１９ｂのみが必要となる保持器には、外径側爪部形成冶具４０のみを用いてもよい。この場合、例えば、内径側爪部形成冶具３５を内径側から押し進める等によって、外径側に位置する第一の爪部１９ａ，１９ｂを形成することにより、爪部形成冶具４５は、外径側爪部形成冶具４０を含まない構成としてもよい。
【００６５】
また、上記の実施の形態においては、一対の突出部２８ａ，２８ｂは、柱中央部５４に対向して配置される例について説明したが、これに限ることなく、延出部５３ａ，５３ｂに対向して配置されることにより、延出部５３ａ，５３ｂを固定してもよい。
【００６６】
また、上記の実施の形態においては、保持器製造装置７５は、一対の固定金型２５ａ，２５ｂを含む例について説明したが、これに限ることなく、保持器部材２４を固定できるような状態であれば、特に含まなくてもよい。
【００６７】
また、上記の実施の形態においては、柱部移動規制冶具３０は、ベース部２２を含む例について説明したが、これに限ることなく、ベース部２２を含まない構成とし、第一および第二の突出部２８ａ，２８ｂのみであってもよい。
【００６８】
また、上記の実施の形態においては、大幅部５９において、ポケット壁面ガイド部５８側に位置する角部５７は、面取りされている例について説明したが、これに限ることなく、例えば円弧状に面取りされていてもよいし、面取りされていなくてもよい。
【００６９】
また、上記の実施の形態においては、柱部移動規制冶具３０は、ポケット５２の周方向両側の壁面６３ａ，６３ｂを構成する２つの柱部５１ａ，５１ｂの周方向の動きを規制し、大幅部５９は、周方向の中心ｌ１を中心として左右対称となる例について説明したが、これに限ることなく、例えば周方向一方側のみ爪部を形成する場合には、柱部移動規制冶具は、１つの柱部の周方向の動きを規定し、大幅部は、周方向一方側において、ポケットの周方向幅より大きく構成されてもよい。
【００７０】
また、上記の実施の形態においては、柱部移動規制工程の後に、配置工程を行う例について説明したが、これに限ることなく、先に配置工程を行い、その後柱部移動規制工程を行ってもよい。
【００７１】
また、上記の実施の形態においては、Ｓ１１において、円筒形状の保持器部材を準備する工程を別途含む例について説明したが、これに限ることなく、Ｓ１２のポケット形成工程に含めてもよい。また、Ｓ１３においても同様に、保持器製造装置７５を準備する工程を別途含む例について説明したが、これに限ることなく、既に準備できている場合には、省略してもよい。
【００７２】
また、上記の実施の形態においては、Ｖ型保持器を製造する際の例について説明したが、これに限ることなく、柱部が軸方向に真っ直ぐに延びる形状の保持器に適用することもでき、また、いわゆるＭ型保持器に適用することもできる。図１９は、この発明の他の実施形態に係る保持器７０の一例を示す図である。図１９を参照して、保持器７０は、いわゆるＭ型保持器であって、一対の環状部から内径側に延びる鍔部７１が設けられている。なお、他の構成要素については、上記した保持器１１と同じである。
【００７３】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００７４】
この発明は、ころの脱落を防止する爪部を形成する際に、有効に利用される。
【符号の説明】
【００７５】
１１，７０  保持器、１２ａ，１２ｂ，５０ａ，５０ｂ  環状部、１３，５１，５１ａ，５１ｂ  柱部、１４，５２，６１ａ，６１ｂ  ポケット、１４ａ，５２ａ，６２ａ，６２ｂ，６３ａ，６３ｂ  周方向壁面、１４ｂ，１４ｃ，５２ｂ，５２ｃ  軸方向壁面、１５  ころ、１６ａ，１６ｂ，５３ａ，５３ｂ  延出部、１７ａ，１７ｂ，５５ａ，５５ｂ  柱傾斜部、１８，５４  柱中央部、１９ａ，１９ｂ，２０ａ，２０ｂ  爪部、２２  ベース部、２３，２４  保持器部材、２４ａ  内周面、２５ａ，２５ｂ  固定金型、２６ａ，２７ａ  大径側固定端部、２６ｂ，２７ｂ  傾斜固定部、２６ｃ，２７ｃ  小径側固定端部、２８ａ，２８ｂ  突出部、２９ａ，２９ｂ  先端、３０  柱部移動規制冶具、３０ａ，４０ａ  面、３１，４２  貫通孔、３２ａ，３２ｂ  内方側面、３３ａ，３３ｂ  外方側面、３５  内径側爪部形成冶具、４０  外径側爪部形成冶具、４１ａ，４１ｂ  加締め部、４３  貫通孔壁面ガイド部、４５  爪部形成冶具、５６  外周面、５７  角部、５８  ポケット壁面ガイド部、５９  大幅部、６０ａ，６０ｂ  凹部、７１  鍔部、７５  保持器製造装置。
【図１】
2011106588.tif 000003
【図２】
2011106588.tif 000004
【図３】
2011106588.tif 000005
【図４】
2011106588.tif 000006
【図５】
2011106588.tif 000007
【図６】
2011106588.tif 000008
【図７】
2011106588.tif 000009
【図８】
2011106588.tif 000010
【図９】
2011106588.tif 000011
【図１０】
2011106588.tif 000012
【図１１】
2011106588.tif 000013
【図１２】
2011106588.tif 000014
【図１３】
2011106588.tif 000015
【図１４】
2011106588.tif 000016
【図１５】
2011106588.tif 000017
【図１６】
2011106588.tif 000018
【図１７】
2011106588.tif 000019
【図１８】
2011106588.tif 000020
【図１９】
2011106588.tif 000021
【図２０】
2011106588.tif 000022